(57)【要約】 【課題】  表示制御部によって画像出力部の異常を検出して、異常画像が表示されてしまうことを防止することができる画像表示装置を提供する。【解決手段】  画像出力部２４にナビゲーション部２１から入力した画像信号を、液晶表示パネル３３によって表示される表示画像の遷移に従って表示させるとともに、ナビゲーション部２１から画像出力部２４に伝送される同期信号を監視して、同期信号が入力されないとき、画像出力部２４との通信を停止する表示制御部２８を設ける。【選択図】      図１
2010015065.tif 000002
【特許請求の範囲】
【請求項１】
画像信号を同期信号とともに出力する画像信号源と、
画像信号源から出力された画像信号および同期信号を入力して、前記画像信号を前記同期信号に同期させて表示制御信号とともに出力する画像出力部と、
前記表示制御信号に応答して、画像出力部からの画像信号を画像として表示する画像表示部と、
前記画像出力部に、前記画像信号源から入力した画像信号を、画像表示部によって表示される表示画像の遷移に従って表示させるとともに、前記画像信号源から画像出力部に伝送される同期信号を監視して、前記同期信号が入力されないとき、前記画像出力部との通信を停止する表示制御部とを含むことを特徴とする画像表示装置。
【請求項２】
前記表示制御部は、前記同期信号が入力されないとき、通信状態から通信エラー状態に切り換り、前記同期信号が再入力されたとき、前記通信エラー状態を解除して通信状態に復帰することを特徴とする請求項１に記載の画像表示装置。
【請求項３】
前記画像表示部は、液晶表示素子の背後にバックライトが設けられる液晶表示パネルから成り、
前記表示制御部は、前記同期信号が入力されないとき、画像表示部のバックライトをオフ状態に切り換え、前記同期信号が再入力されたとき、前記バックライトのオフ状態をオン状態に復帰させることを特徴とする請求項１の記載の画像表示装置。
【発明の詳細な説明】
【技術分野】
【０００１】
本発明は、液晶表示パネルなどの画像表示部を駆動する画像出力部の動作状態を監視して、画像出力部の動作が正常か否かを検出することができる画像表示装置に関する。
【背景技術】
【０００２】
図１は従来技術の画像表示装置１の概略的構成を示すブロック図である。たとえば、車両に搭載されるマルチビュー表示装置とも呼ばれる画像表示装置１は、道路情報およびＧＰＳ受信情報を、地図情報およびルート案内情報とともに出力するナビゲーション部２と、車両の前後を撮像するカメラからの画像信号、ラジオ放送波を受信するラジオ受信部、テレビ放送波を受信するＴＶ受信部、ＣＤまたはＤＶＤに記録された音楽および画像を再生するＣＤ／ＤＶＤ再生部などを統括的に制御する主制御部３と、主制御部３からの画像信号を表示する表示部４とを備える。
【０００３】
ナビゲーション部２は、水晶発振子からのクロック信号に同期して動作し、同期信号、画像信号、画像ミュート信号Ｖ−ＭＵＴＥおよびＴＡＢ通信信号を出力するナビゲーション制御部１０と、ナビゲーション制御部１０から前記同期信号および画像信号を入力して前記主制御部３を介して表示部４に伝送する低電圧差動伝送(Low Voltage Differential
Signaling；略称ＬＶＤＳ)トランシーバ１１とが設けられる。ＬＶＤＳトランシーバ１１は、差動同期信号と、同期信号および画像信号を複合した差動画像信号とを出力する。
【０００４】
前記表示部４は、画像出力部７と、液晶表示パネル８と、前記ＬＶＤＳトランシーバ１１からの差動同期信号および差動画像信号を入力し、画像出力部７に同期信号と画像信号とを出力するＬＶＤＳレシーバ１２と、画像出力部７に制御タイミング信号を出力し、画像出力部７にシリアル通信によって液晶駆動信号および画像信号を出力させる表示制御部１３とを有する。前記表示制御部１３は、マイクロコンピュータによって実現される。
【０００５】
前記表示部４は、前記ナビゲーション部２から入力した画像信号を、彩度補正、色相補正、コントラスト補正およびガンマ補正などを行った後、同期信号ＣＬＫに同期して動作する画像出力部７によって、液晶表示パネル８の駆動信号および画像信号を生成し、前記液晶表示パネル８に画像を表示するように構成される。主制御部３には、オーディオ用マイクロコンピュータ１５が設けられ、ナビゲーション制御部２から出力されるＴＡＢ通信信号に応答して、表示制御部１３に画像表示位置などの各種の設定値および動作モードなどを設定させるように構成される。
【０００６】
前記画像出力部７は、ＡＳＩＣ（Application Specific Integration Circuit）によって実現される。また、前記液晶表示パネル８は、液晶表示素子と、液晶表示素子に背後から光を照射するバックライトとを有する。
【０００７】
画像出力部７の初期値設定や画像処理用のパラメータの設定は、表示制御部１３が制御することによって行われている。このとき、画像出力部７に供給されている同期信号ＣＬＫが停止してしまうと、画像出力部７が動作できなくなるため、この間に表示制御部１３が画像出力部７との通信を行うと、エラーが発生してしまう。最悪の場合、表示制御部１３は画像出力部７に同期信号ＣＬＫが供給されていないことを検知できずに、画像表示位置、輝度、色調などの初期値や画像処理用パラメータを設定できていない状態で動作し続けてしまうことになるので、画面位置がずれていたり、色が異常な状態が復帰しないことになる。また、同期信号ＣＬＫの停止期間は、画像出力部７が停止している状態であるため、画像が正常に表示されないという問題を生じる。
【０００８】
また、他の従来技術は、たとえば特許文献１に記載されている。この従来技術では、ＬＣＤパネルに、画像信号に基づく画像を、同期信号に同期させながら表示する液晶表示装置において、既存のスケーラと表示制御部であるマイクロコンピュータとを用いて、画像出力部である液晶パネル駆動用ＩＣへ設定する画像信号の同期信号およびクロック信号などのパラメータを、前記スケーラによる入力信号の計測機能を用いて計測されるデータから求めることができるように、前記マイクロコンピュータに演算手段が設けられている。
【０００９】
【特許文献１】特開２００７−２７１６６５号公報
【発明の開示】
【発明が解決しようとする課題】
【００１０】
前記特許文献１の従来技術では、マイクロコンピュータに備えられる演算手段によって、液晶パネル駆動用ＩＣへ設定する画像信号の同期信号およびクロック信号などのパラメータを求めるものであるが、液晶駆動用ＩＣの動作が正常であるか否かを検出することができないため、液晶駆動用ＩＣへの同期信号が停止しても、図１の従来技術と同様に、画像処理用パラメータを設定できていない状態で動作し続けてしまい、画面位置のずれおよび色の異常などが生じ、画像が正常に表示されないという問題がある。
【００１１】
本発明の目的は、表示制御部によって画像出力部の異常を検出して、異常画像が表示されてしまうことを防止することができる画像表示装置を提供することである。
【課題を解決するための手段】
【００１２】
本発明（１）は、画像信号を同期信号とともに出力する画像信号源と、
画像信号源から出力された画像信号および同期信号を入力して、前記画像信号を前記同期信号に同期させて表示制御信号とともに出力する画像出力部と、
前記表示制御信号に応答して、画像出力部からの画像信号を画像として表示する画像表示部と、
前記画像出力部に、前記画像信号源から入力した画像信号を、画像表示部によって表示される表示画像の遷移に従って表示させるとともに、前記画像信号源から画像出力部に伝送される同期信号を監視して、前記同期信号が入力されないとき、前記画像出力部との通信を停止する表示制御部とを含むことを特徴とする画像表示装置である。
【発明の効果】
【００１３】
本発明（１）によれば、表示制御部によって、画像信号源から画像出力部に伝送される同期信号を監視して、前記同期信号が入力されないときには画像出力部との通信を停止するように構成されるので、画像出力部の同期信号の停止による異常を検出して、画像表示部に異常画像が表示されてしまうことを防止することができる。
【発明を実施するための最良の形態】
【００１４】
図２は本発明の実施の一形態の画像表示装置２０の概略的構成を示すブロック図である。本実施の形態の画像表示装置２０は、たとえば車両に搭載されるマルチビュー表示装置とも呼ばれる画像表示装置であって、道路情報およびＧＰＳ受信情報を、地図情報およびルート案内画像とともに出力する画像信号源としてのナビゲーション部２１と、車両の前後を撮像するカメラからの画像信号、ラジオ放送波を受信するラジオ受信部、テレビ放送波を受信するＴＶ受信部、ＣＤ（Compact Disc）またはＤＶＤ(Digital Versatile Disk)に記録された音楽および画像を再生するＣＤ／ＤＶＤ再生部などを統括的に制御する主制御部２２と、主制御部２２からの画像信号を表示する表示部２３とを含む。
【００１５】
ナビゲーション部２１は、画像信号および同期信号をクロック信号ＣＬＫに同期して前記クロック信号ＣＬＫとともに出力し、かつ画像を黒画像に変更するための画像ミュート信号Ｖ−ＭＵＴＥを出力する。
【００１６】
表示部２３は、ナビゲーション部２１から入力した画像信号を、前記同期信号に同期させて表示制御信号とともに出力する画像出力部２４と、画像出力部２４からの画像信号および表示制御信号に応答して駆動される液晶表示素子２５と、液晶表示素子２５に背後から光を照射するバックライト２６と、バックライト２６の輝度を制御するバックライト制御部２７と、ナビゲーション部２１から画像ミュート信号Ｖ−ＭＵＴＥを入力したとき、バックライト制御部２７に輝度を低下させるためのバックライト制御信号を出力するとともに、画像出力部２４にナビゲーション部２１から入力した画像信号を、画像表示部３３によって表示される表示画像の遷移に従って表示させるとともに、前記ナビゲーション部２１から画像出力部ＬＢＤＳレシーバ３４を介して伝送される同期信号を監視し、前記同期信号が入力されないとき、画像出力部２４との通信を停止する表示制御部２８とを含む。
【００１７】
前記ナビゲーション部２１は、外部の水晶発振子からのクロック信号に同期して動作し、同期信号、画像信号、画像ミュート信号Ｖ−ＭＵＴＥおよびＴＡＢ通信信号を出力するナビゲーション制御部３０と、ナビゲーション制御部３０から同期信号および画像信号を入力して前記主制御部２２を介して表示出力部２４に伝送する低電圧差動伝送(Low
Voltage Differential signaling；略称ＬＶＤＳ)トランシーバ３１とを有する。
【００１８】
ＬＶＤＳトランシーバ３１は、クロック信号と、同期信号および画像信号を複合した差動信号とを出力する。このようなナビゲーション部２１は、ＶＩＣＳ情報受信部が受信した道路情報およびＧＰＳ情報受信部が受信した地理情報に基づいて地図およびルート案内情報を出力するように構成される。
【００１９】
主制御部２２には、オーディオ用マイクロコンピュータ４１が設けられ、ナビゲーション制御部３０から出力されるＴＡＢ通信信号に応答して、表示制御部２８に画像表示位置などの各種の設定値および動作モードなどを設定させるように構成される。
【００２０】
前記液晶表示素子２５とバックライト２６とは、液晶表示パネル３３を構成する。前記表示部２３は、画像出力部２４と、液晶表示パネル３３と、ＬＶＤＳトランシーバ３１からの差動同期信号と差動画像信号とを入力し、画像出力部２４にクロック信号ＣＬＫと画像信号とを出力するＬＶＤＳレシーバ３４と、画像出力部２４に制御タイミング信号を出力し、画像出力部２４にシリアル通信によって黒画像信号を出力させる前記表示制御部２８とを有する。
【００２１】
前記表示制御部２８は、前記画像信号源であるナビゲーション部２１から入力した画像信号を、液晶表示パネル３３によって表示される表示画像の遷移に従って表示させるとともに、前記画像出力部２４の動作状態を判定し、画像出力部２４が動作していないと判断したとき、画像出力部２４をリセットさせるリセット信号を出力する。このような表示制御部２８の機能は、コンピュータによって実行可能なプログラムによって実現される。また表示制御部２８は、前記プログラムがたとえばＲＯＭ（Read Only Memory）などによって実現される記憶領域に記憶されるハードウェア資源としてのマイクロコンピュータによって実現される。
【００２２】
前記ナビゲーション部２１は、車両の前方および後方など撮像するカメラ、アンテナによってテレビ放送波を受信するテレビ受信装置、ＣＤおよびＤＶＤに記憶される音楽情報および画像を再生するＣＤ／ＤＶＤ再生装置、およびハードディスクに記録された画像および音楽情報を再生するハードディスク再生装置などを含んで構成されてもよい。
【００２３】
液晶表示素子２５は、バックライト２６側から順に、偏光板、スイッチング素子であるＴＦＴ（Thin Film Transistor）がマトリクス状に形成される個別電極側ガラス基板、液晶層、ＲＧＢの３原色の画素をもつカラーフィルタ基板、視差バリア層、共通電極側ガラス板、偏光板等が積層された構成であってもよい。このような液晶表示素子は、例えば、水平方向に８００画素、垂直方向に４８０画素が配列された表示画面を構成する。
【００２４】
画像出力部２４は、一例として述べると、複数のアナログ／デジタル変換器、輝度・色変換回路、ＲＧＢデコーダ、切換回路、書込み回路、読出し回路、出力タイミング制御回路、メモリＩＦ、ＶＲＡＭ、Ｃ／Ｂ調整回路、ＲＧＢ並替回路、ガンマテーブル、ガンマ補正回路、ＴＦＴタイミング制御回路などによって構成される。このような画像出力部２４は、例えば、ＡＳＩＣ（Application Specific Integrated Circuit）によって実現される。
【００２５】
前記表示制御部２８は、ＬＶＤＳレシーバ３４から画像出力部２４に対して出力されている同期信号のうち水平同期信号Ｈ−ＳＹＮＣを、インピーダンス整合用のバッファ４０を介して入力するように構成される。これによって、ＬＶＤＳレシーバ３４の各出力信号は、全てクロックがないと出力できないため、画像出力部２４に同期信号が入力されているかどうか検出することができる。具体的には、同期信号の立ち下り（または立ち上り）のエッジを３周期分かを検出し、入力されている場合は通信可能とし、表示制御部２８のＲＯＭなどの記憶部に予め記憶されているプログラムの動作を実行し、入力されていない場合は通信不可とし、「ｗａｉｔ」などの指令を導出して待機状態を保持する。
【００２６】
また、表示制御部２８と画像出力部２４とが通信中に同期信号の入力が停止した場合は、表示制御部２８が通信エラー状態となり、同期信号が再入力された時点でもう一度通信を行う。
【００２７】
また、同期信号が表示制御部２８に入力されていないとき、同期信号の入力が途切れたとき、インバータ回路としてのバックライト制御部２７を制御することによって、バックライト２６をオフ状態とし、液晶表示パネル３３の異常表示を防ぐことができる。
【００２８】
図３は画像表示装置２０の表示部２３に設けられる表示制御部２８の動作を説明するためのフローチャートである。電源の投入によって画像表示装置２０が起動されると（ステップｓ０）、表示制御部２８が予め登録されたプログラムの実行動作を開始し、ナビゲーション制御部３０からのＴＡＢ通信信号の入力によって、ユーザによって選択されたナビゲーションモード、テレビ受信モード、ラジオ受信モード、ＣＤまたはＤＶＤ再生モードなどのいずれかのモードで動作を開始するとともに、ＬＶＤＳレシーバ３４から画像出力部２４へ供給される同期信号の判定動作を開始する（ステップｓ１）。表示制御部２８が同期信号を検出している場合には、表示制御部２８は画像出力部２４への通信を継続し、画像信号処理に伴うパラメータを画像出力部２４に設定し、ナビゲーション部２１からの画像信号を液晶表示パネル３３に表示させる（ステップｓ２）。
【００２９】
また、表示制御部２８は、同期信号が入力されない場合には、予め定める時間Ｔｍｓ待機し（ステップｓ３）、再び同期信号の入力があるか否かを判定し（ステップｓ１）、同期信号を再び検出したときには画像出力部２４との通信を再開し（ステップｓ２）、同時に同期信号の判定を継続する（ステップｓ４）。表示制御部２８が同期信号を検出している状態では、画像出力部２４との通信を停止し（ステップｓ５）、次の処理動作、たとえば画像信号の再生動作を開始する（ステップｓ６）。表示制御部２８と画像出力部２４との通信中に同期信号が停止すると（ステップｓ４）、再びＴ時間待機（ステップｓ３）した後、同期信号が入力されているか否かの判定状態に復帰する。
【００３０】
このような同期信号判定動作を繰り返すことによって、表示制御部２８は画像出力部２４に同期信号が入力されていないことを把握することができるため、通信エラーによる画面位置のずれや、画像の色が異常な状態が起きることを防ぐことができる。
【００３１】
また、表示制御部２８への同期信号の入力が途切れたときには、インバータ回路であるバックライト制御部２７にバックライト２６をオフ状態、すなわち点灯状態から非点灯状態に切り換えることによって、、液晶表示パネル３３を黒表示とし、色の異常、画面位置のずれなどの異常画像が表示されてしまうことを回避することができる。
【００３２】
このように表示制御部２８は、画像出力部２４に供給される同期信号を監視して、同期信号が停止したときには画像出力部２４との通信を停止するので、同期信号を必要とする動作全ての回路に対してフェールセーフをかけ、誤動作を防ぐことができ、同期信号がないことによって発生する予測できない不具合を防ぐことができる。
【図面の簡単な説明】
【００３３】
【図１】従来技術の画像表示装置１の概略的構成を示すブロック図である。
【図２】本発明の実施の一形態の画像表示装置２０の概略的構成を示すブロック図である。
【図３】画像表示装置２０の表示部２３に設けられる表示制御部２８の動作を説明するためのフローチャートである。
【符号の説明】
【００３４】
２０  画像表示装置
２１  ナビゲーション部
２２  主制御部
２３  表示部
２４  画像出力部
２５  液晶表示素子
２６  バックライト
２７  バックライト制御部
２８  表示制御部
３０  ナビゲーション制御部
３１  ＬＶＤＳトランシーバ
３３  液晶表示パネル
３４  ＬＶＤＳレシーバ
【図１】
2010015065.tif 000003
【図２】
2010015065.tif 000004
【図３】
2010015065.tif 000005